(57)【要約】【課題】一の被服で複数種類の着回しを可能とすることによって、複数バージョンのファッション性の異なる着回しを楽しむことができ、飽きがくることなく、さらには、自分の個性を存分に発揮することが可能な着回し自在被服の提供を図る。【解決手段】略円形状生地と、該略円形状生地に縫付けられる筒状伸縮性生地と、同様に該略円形状生地に縫付けられる二つの略長方形状伸縮性生地とからなり、略円形状生地の中央部分に所定の径を有する孔が設けられるとともに、該孔に前記筒状伸縮性生地が縫付けられ、かつ、略円形状生地所定の外縁及びその対称外縁にそれぞれ前記略長方形状伸縮性生地が縫付けられ、該略長方形状伸縮性生地には縫付けた辺に対し略直交する一辺に少なくとも一以上の止め具を備えるとともに、かかる止め具を備えた辺と反対の辺には止め具受け部を備えた構成となっている。【選択図】図１
2006214021.tif 000002
【特許請求の範囲】
【請求項１】
略円形状生地と、該略円形状生地に縫付けられる筒状伸縮性生地と、同様に該略円形状生地に縫付けられる二つの略長方形状伸縮性生地とからなり、略円形状生地の中央部分に所定の径を有する孔が設けられるとともに、該孔に前記筒状伸縮性生地が縫付けられ、かつ、略円形状生地所定の外縁及びその対称外縁にそれぞれ前記略長方形状伸縮性生地が縫付けられ、該略長方形状伸縮性生地には縫付けた辺に対し略直交する一辺に少なくとも一以上の止め具を備えるとともに、かかる止め具を備えた辺と反対の辺には止め具受け部を備えたことを特徴とする着回し自在被服。
【請求項２】
前記略長方形状伸縮性生地が、着回し自在被服を折り畳んで略円形状生地所定の外縁に縫付けられた略長方形状伸縮性生地とその対称外縁に縫付けられた略長方形状伸縮性生地とを重ね合わせた際に、一方の略長方形状伸縮性生地に備えられた止め具と他方の略長方形状伸縮性生地に備えられた止め具受け部とが重なり合うように、略円形状生地に対して縫付けられていることを特徴とする請求項１に記載の着回し自在被服。
【請求項３】
前記略円形状生地の中心を通り且つ二つの略長方形状伸縮性生地の中心を結んだ線に直行する線上において、略円形状生地外縁の一方に止め具あるいは止め具受け部を備えるとともに、略円形状生地の中央部分を挟んでその対称側における孔の外縁付近に止め具受け部あるいは止め具を備えたことを特徴とする請求項１または請求項２に記載の着回し自在被服。
【請求項４】
前記略円形状生地の中心を通り且つ二つの略長方形状伸縮性生地の中心を結んだ線に直行する線上において、略円形状生地外縁の両方に止め具あるいは止め具受け部を備えるとともに、孔の外縁付近両方に止め具受け部あるいは止め具を備えたことを特徴とする請求項１または請求項２に記載の着回し自在被服。
【請求項５】
二つの略半円形状生地を直線部分で縫い合わせることにより、前記略円形状生地を構成することを特徴とする請求項１から請求項４のいずれかに記載の着回し自在被服。
【請求項６】
前記略円形状生地または略半円形状生地、筒状伸縮性生地、略長方形状伸縮性生地のうち、いずれか一以上がニット生地であることを特徴とする請求項１から請求項５のいずれかに記載の着回し自在被服。
【発明の詳細な説明】
【技術分野】
【０００１】
本発明は、一の被服で複数種類の着回しが可能な、着回し自在被服に関するものである。
【背景技術】
【０００２】
従来から人は被服を着用しており、それは生活をする上で必要不可欠なものである。それが最近では、かかる生活上から着用するだけでなく、ファッションとして自分を着飾るために被服を着用するようになってきている。そして、その自分を着飾るために、他人とは違う被服を着用することで、自分を個性的に表現しようとするようになる。しかしながら、他人が自分と同じ被服を着用しているのを目撃し、気まずくなった経験をしたことのある人も多いはずである。すなわち、他人が持ってない被服を購入しようとしてもほとんど不可能であって、全くのオリジナルとなると手作りによる一品物の被服しかないのが現状である。
【０００３】
そこで、一般にリバーシブルといわれている裏返しても着用可能な被服が種々提案されている。これによれば、表側と裏側とで模様等の装飾デザインを違えることによって、一の被服でファッション性の異なる表裏２バージョンの着回しが可能となる。しかしながら、２バージョンのみでは変化に乏しく、結局気に入った装飾デザインの方のみを着用するようになってしまい、また、他人と同じリバーシブルの被服であった場合に、二分の一の確率で同じ装飾デザインとなってしまう危険性もある。
【０００４】
また、被服に取外し可能な部材を装着することにより、かかる部材の取外しや組合わせ等によって様々な形態を呈する被服も提案されている。例えば、袖腕を肩口や袖の中間部位から取外すことが可能な被服がある。これによれば、確かに夏冬兼用の被服としては便利であるが、ファッション性についてはほとんど差がなく、上記問題点を解決するには至っていない。また、ワッペン等装飾部材を取外し可能として、着用時によってかかる装飾部材を種々変更することが可能な被服もある。これによれば、かかる装飾部材を変えることで多少の変化をもたらすことにはなるが、前記同様ファッション性についてはほとんど差がなく、結局上記問題点を解決するには至っていない。
【特許文献１】特開２００４−１８３２０２号公報
【特許文献２】特開２００３−２４７１１０号公報
【特許文献３】特開２００１−５５６１０号公報
【特許文献４】特開２０００−２３４２０７号公報
【特許文献５】実開平１−１６５８７９号公報
【特許文献６】実開昭６３−１２３６１３号公報
【特許文献５】実開昭６１−１５９３０９号公報
【発明の開示】
【発明が解決しようとする課題】
【０００５】
上記問題点に鑑み、本発明は、一の被服で複数種類の着回しを可能とすることによって、複数バージョンのファッション性の異なる着回しを楽しむことができ、飽きがくることなく、さらには、自分の個性を存分に発揮することが可能な着回し自在被服を提供することを目的とする。
【課題を解決するための手段】
【０００６】
前記目的を達成するため、本発明は、略円形状生地と、該略円形状生地に縫付けられる筒状伸縮性生地と、同様に該略円形状生地に縫付けられる二つの略長方形状伸縮性生地とからなり、略円形状生地の中央部分に所定の径を有する孔が設けられるとともに、該孔に前記筒状伸縮性生地が縫付けられ、かつ、略円形状生地所定の外縁及びその対称外縁にそれぞれ前記略長方形状伸縮性生地が縫付けられ、該略長方形状伸縮性生地には縫付けた辺に対し略直交する一辺に少なくとも一以上の止め具を備えるとともに、かかる止め具を備えた辺と反対の辺には止め具受け部を備えた構成となっている。
【０００７】
また、本発明は、前記略長方形状伸縮性生地が、着回し自在被服を折り畳んで略円形状生地所定の外縁に縫付けられた略長方形状伸縮性生地とその対称外縁に縫付けられた略長方形状伸縮性生地とを重ね合わせた際に、一方の略長方形状伸縮性生地に備えられた止め具と他方の略長方形状伸縮性生地に備えられた止め具受け部とが重なり合うように、略円形状生地に対して縫付けられている構成とすることができる。
【０００８】
さらに、本発明は、前記略円形状生地の中心を通り且つ二つの略長方形状伸縮性生地の中心を結んだ線に直行する線上において、略円形状生地外縁の一方に止め具あるいは止め具受け部を備えるとともに、略円形状生地の中央部分を挟んでその対称側における孔の外縁付近の一方に止め具受け部あるいは止め具を備えた構成を採用することができる。
【０００９】
またさらに、本発明は、前記略円形状生地の中心を通り且つ二つの略長方形状伸縮性生地の中心を結んだ線に直行する線上において、略円形状生地外縁の両方に止め具あるいは止め具受け部を備えるとともに、孔の外縁付近の両方に止め具受け部あるいは止め具を備えた構成とすることもできる。
【００１０】
さらにまた、本発明は、二つの略半円形状生地を直線部分で縫い合わせることにより、前記略円形状生地を構成させることもできる。
【００１１】
そしてまた、本発明は、前記略円形状生地、略半円形状生地、筒状伸縮性生地及び略長方形状伸縮性生地が、ニット生地である構成を採ることもできる。
【発明の効果】
【００１２】
本発明にかかる着回し自在被服によれば、一の被服で複数種類の着回しをすることが可能となって、何度着てもその都度着回しパターンを変化することで、複数バージョンのファッション性の異なる着回しを楽しむことができ、同じ服を着用することによる飽きがなくなる。
【００１３】
そしてまた、万が一他人が自分と同じ被服を着用していた場合であっても、着回しパターンによって異なるファッション性を創出することができるとともに、その場で簡単に着回しパターンを変更することも可能であって、自分の個性を存分に発揮することができる。
【発明を実施するための最良の形態】
【００１４】
本発明にかかる着回し自在被服１は、一の被服で複数種類の着回しを可能とすることによって、複数バージョンのファッション性の異なる着回しを自在に楽しめることを最大の特徴とする。以下、本発明にかかる着回し自在被服１の実施形態を図面に基づいて説明する。
【００１５】
図１は、本発明にかかる着回し自在被服１の実施形態を示す展開図である。該着回し自在被服１は、略円形状生地２と、該略円形状生地２に縫付けられる筒状伸縮性生地４と、同様に該略円形状生地２に縫付けられる二つの略長方形状伸縮性生地５とから構成される。略円形状生地２の中央部分には、所定の径を有する孔３が設けられるとともに、該孔３には、前記筒状伸縮性生地４が縫付けられる。また、略円形状生地２所定の外縁及びその対称外縁には、それぞれ前記略長方形状伸縮性生地５が縫付けられる。そして、その略長方形状伸縮性生地５において、略円形状生地２に縫付けた辺ｎ１に対し略直交する一辺ｎ２に、少なくとも一以上の止め具６が備えられるとともに、かかる止め具６を備えた辺ｎ２と反対の辺ｎ３には、止め具受け部７が備えられている。
【００１６】
略円形状生地２の中央部分に設けられる孔３の径については特に限定はないが、少なくとも人の頭が通過できる以上の径を有すればよい。また、その孔３に縫付けられる筒状伸縮性生地４の長さは、人の首Ｈ１の長さ以下あるいは折り畳んで首Ｈ１の長さ以下になる程度であればよい。さらに、略長方形状伸縮性生地５は、着回し自在被服１を折り畳んで略円形状生地２所定の外縁に縫付けられた略長方形状伸縮性生地５とその対称外縁に縫付けられた略長方形状伸縮性生地５とを重ね合わせて一つの筒状体を形成させた際に、該筒状体内に人の腰周りが収まる程度以上の幅を有するものとし、そしてまた、略円形状生地２から突出する長さは任意とする。またさらに、略長方形状伸縮性生地５に備えられる止め具６及び止め具受け部７の構造については特に限定はなく、ボタンとボタン受け孔３、フックとフック掛け等、種々の態様が考え得る。
【００１７】
尚、図１に示すように、着回し自在被服１を折り畳んで略円形状生地２所定の外縁に縫付けられた略長方形状伸縮性生地５とその対称外縁に縫付けられた略長方形状伸縮性生地５とを重ね合わせた際に、一方の略長方形状伸縮性生地５に備えられた止め具６と他方の略長方形状伸縮性生地５に備えられた止め具受け部７とが重なり合うように、略長方形状伸縮性生地５を略円形状生地２に対して縫付ける構成も考え得る。すなわち、一方向から着回し自在被服１を見た場合に、一方の略長方形状伸縮性生地５に備えられた止め具６及び止め具受け部７と他方の略長方形状伸縮性生地５に備えられた止め具６及び止め具受け部７とが互い違いになるよう、略長方形状伸縮性生地５が略円形状生地２に対して縫付けられる態様である。かかる構成とすることで、着回し自在被服１を折り畳んだ際に、重ね合わされた二つの略長方形状伸縮性生地５における互いの止め具６と止め具受け部７とを止め合わせることによって、一つの筒状体を形成させることが可能となる。
【００１８】
さらに、前記略円形状生地２の中心を通り且つ二つの略長方形状伸縮性生地５の中心を結んだ線に直行する線上において、略円形状生地２外縁に止め具８あるいは止め具受け部９を備えるとともに、孔３の外縁付近に止め具受け部９あるいは止め具８を備えた構成も考え得る。そしてかかる構成において、略円形状生地２外縁の一方に止め具８あるいは止め具受け部９を備えるとともに、孔３の外縁付近の一方に止め具受け部９あるいは止め具８を備えた構成とすることもできるし、また、略円形状生地２外縁の両方に止め具８あるいは止め具受け部９を備えるとともに、孔３の外縁付近の両方に止め具受け部９あるいは止め具８を備えた構成とすることもできる。図２は、かかる構成を採用した場合の本発明にかかる着回し自在被服１を示す展開図である。尚、一方にのみ止め具８及び止め具受け部９を備える構成を採る場合、孔３の外縁付近に備えられる止め具受け部９あるいは止め具８は、略円形状生地２の中央部分を挟んで該略円形状生地２外縁に備えられた止め具８あるいは止め具受け部９の対称側における孔３の外縁付近に備えられる。また、略円形状生地２外縁に止め具８を備えた場合には、孔３の外縁付近には止め具受け部９が備えられ、逆に略円形状生地２外縁に止め具受け部９を備えた場合には、孔３の外縁付近には止め具８が備えられることはいうまでもない。そしてまた、止め具８及び止め具受け部９の構造について特に限定がないことは、前記同様である。かかる構成とすることで、後に実施形態で説明するように、本発明にかかる着回し自在被服１の着回しのバージョンがさらに増すこととなる。
【００１９】
本発明にかかる着回し自在被服１の略円形状生地２について、二つの略半円形状生地２ａ・２ｂを直線部分で縫い合わせることにより、該略円形状生地２を構成させること考え得る。図３は、かかる構成を採用した場合の本発明にかかる着回し自在被服１を示す展開図である。かかる構成とすることで、二つの略半円形状生地２ａ・２ｂが繋ぎ合わさって略円形状生地２に直線状の縫い目１０が入ることとなって、かかる縫い目１０が本発明にかかる着回し自在被服１における一種の装飾模様を構成することとなる。
【００２０】
尚、上記各構成における各生地の材質については特に限定するものではなく、シルクや綿、毛糸、合成繊維等、種々の材質が考え得る。そして、筒状伸縮性生地４並びに略長方形状伸縮性生地５については、伸縮性を有するように形成されていればよい。また、これら略円形状生地２、略半円形状生地２ａ・２ｂ、筒状伸縮性生地４、略長方形状伸縮性生地５の形成手段について特に限定はないが、一の実施形態としてニット生地とすることが考え得る。その際、これら略円形状生地２または略半円形状生地２ａ・２ｂ、筒状伸縮性生地４、略長方形状伸縮性生地５のうち、いずれか一の生地のみをニット生地とすることも考え得るし、二以上の生地あるいは全部の生地をニット生地とすることも考え得る。
【００２１】
次に、上記各構成からなる本発明にかかる着回し自在被服１の着回し着用例について、図４から図１８に基づいて説明する。
【００２２】
図４及び図５は、本発明にかかる着回し自在被服１の第一の着用例を示す説明図であり、図４は正面図、図５は背面図である。まず前記略円形状生地２を半分に折り畳む。その際、前記二つの略長方形状伸縮性生地５の中心を結んだ線に沿って折り畳む。そして、該略長方形状伸縮性生地５の重なり合った辺ｎ２と辺ｎ３に備えられている止め具６と止め具受け部７によって、略長方形状伸縮性生地５を筒状に繋ぎ止める。この状態とした着回し自在被服１は、折り畳まれた略円形状生地２の内側からその中心に設けられた孔３に頭と首Ｈ１を通し、また、筒状に繋ぎ止められた略長方形状伸縮性生地５内へ手と腕先Ｈ２を通して、図４並びに図５に示すような、胴回りを拘束しない斬新なデザインを奏する着用状態となる。
【００２３】
図６及び図７は、上記同様、本発明にかかる着回し自在被服１の第一の着用例を示す説明図であり、図６は正面図、図７は背面図である。上記図４及び図５との違いは、縫い目１０を有することである。すなわち、略半円形状生地２ａ・２ｂを縫い合わせて略円形状生地２を構成させた場合を示している。かかる構成を採用することで、図６並びに図７に示す通り、縫い目１０がほどよいアクセントを奏する装飾模様を構成することとなる。
【００２４】
図８及び図９は、本発明にかかる着回し自在被服１の第二の着用例を示す説明図であり、図８は正面図、図９は背面図である。前記同様、はじめに前記略円形状生地２を半分に折り畳む。その際、略円形状生地２の中心を通り且つ二つの略長方形状伸縮性生地５の中心を結んだ線に直行する線に沿って折り畳む。したがって、二つの略長方形状伸縮性生地５が互いに重なり合う状態となる。そして、略長方形状伸縮性生地５の互いに重なり合った辺ｎ２・ｎ３に備えられている止め具６と止め具受け部７とを繋ぎ止めることによって、二つの略長方形状伸縮性生地５が一つの筒状体として形成される。この状態とした着回し自在被服１は、折り畳まれた略円形状生地２の内側からその中心に設けられた孔３に頭と首Ｈ１を通し、また、一つの筒状体として形成された二つの略長方形状伸縮性生地５を胴回りに位置させて、図８並びに図９に示すような着用状態となる。その際、二つの略長方形状伸縮性生地５における互いの止め具６と止め具受け部７が両脇腹部分に配置されることとなる。そして、略円形状生地２の縁部が末広がりとなった斬新なデザインを奏する。
【００２５】
図１０及び図１１は、本発明にかかる着回し自在被服１の第三の着用例を示す説明図であり、図１０は正面図、図１１は背面図である。前記同様、まず前記略円形状生地２を半分に折り畳む。その際、前記二つの略長方形状伸縮性生地５の中心を結んだ線に沿って折り畳む。そして、該略長方形状伸縮性生地５の重なり合った辺ｎ２と辺ｎ３に備えられている止め具６と止め具受け部７によって、略長方形状伸縮性生地５を筒状に繋ぎ止める。さらに、重なり合った略円形状生地２のうち一枚を、重なり合わせた反体面に折り返し、その略円形状生地２外縁に備えられた止め具８あるいは止め具受け部９と、略円形状生地２の中央部分を挟んでその対称側における孔３の外縁付近に備えられた止め具受け部９あるいは止め具８とを繋ぎ止める。この状態とした着回し自在被服１は、折り畳まれた略円形状生地２を背中から前方へ包み込むように巻き込み、筒状に繋ぎ止められた略長方形状伸縮性生地５内へ手と腕先Ｈ２を通すことにより、図１０並びに図１１に示すような、全体としてショールを羽織ったイメージに近いながらも斬新なデザインを奏する着用状態となり、特に図１１に示すように、後ろからみて非常に斬新なデザインを奏する着用状態となる。
【００２６】
図１２及び図１３は、本発明にかかる着回し自在被服１の第四の着用例を示す説明図であり、図１２は正面図、図１３は背面図である。前記同様、まず前記略円形状生地２を半分に折り畳む。その際、前記二つの略長方形状伸縮性生地５の中心を結んだ線に沿って折り畳む。そして、該略長方形状伸縮性生地５の重なり合った辺ｎ２と辺ｎ３に備えられている止め具６と止め具受け部７によって、略長方形状伸縮性生地５を筒状に繋ぎ止める。さらに略円形状生地２を、折り畳んだ長手方向と平行に束ね合わせあるいは折り畳む等、一本の帯状体にまとめあげる。この状態とした着回し自在被服１は、首Ｈ１の周りに巻きつけることによって、図１２並びに図１３に示すように、フリンジのついたマフラーを巻いているようなイメージの着用状態となる。
【００２７】
図１４は、本発明にかかる着回し自在被服１の第五の着用例を示す説明図である。前記同様、はじめに前記略円形状生地２を半分に折り畳む。その際、略円形状生地２の中心を通り且つ二つの略長方形状伸縮性生地５の中心を結んだ線に直行する線に沿って折り畳む。したがって、二つの略長方形状伸縮性生地５が互いに重なり合う状態となる。そして、略長方形状伸縮性生地５の互いに重なり合った辺ｎ２・ｎ３に備えられている止め具６と止め具受け部７とを繋ぎ止めることによって、二つの略長方形状伸縮性生地５が一つの筒状体として形成される。この状態とした着回し自在被服１は、折り畳まれた略円形状生地２の中心に設けられた孔３から脚Ｈ３を通して筒状伸縮性生地４を胴回りに位置するように配置し、また、一つの筒状体として形成された二つの略長方形状伸縮性生地５内に脚Ｈ３を通すことによって、図１４に示すような、独創的なデザインのスカート着用状態となる。尚、かかる着用態様における略円形状生地２の中心に設ける孔３の径は、少なくとも人の臀部回りが通過できる以上の径を有することとなる。
【００２８】
図１５は、本発明にかかる着回し自在被服１の第六の着用例を示す説明図である。はじめに、略円形状生地２に縫付けられた二つの略長方形状伸縮性生地５のうち、一方の略長方形状伸縮性生地５における辺ｎ２と他方の略長方形状伸縮性生地５における辺ｎ３とを結ぶ線に沿って、略円形状生地２を折り畳む。そしてさらに、二つの略長方形状伸縮性生地５が互いに重なるように略円形状生地を折り畳み、その重なり合った略長方形状伸縮性生地５の互いの辺ｎ２・ｎ３に備えられている止め具６と止め具受け部７とを繋ぎ止めることによって、着回し自在被服１全体が一つ筒状体として形成される。この状態とした着回し自在被服１は、最初に折り畳んだ辺を胴回りに位置させ、かつ、略長方形状伸縮性生地５を腰脇に位置するように配置して、形成された筒状体内に脚Ｈ３が通されることによって、図１５に示すような、斜めに大きくカットされたイレギュラーヘムラインを形成するスカート着用状態となる。
【００２９】
図１６から図１８は、本発明にかかる着回し自在被服１の第七の着用例を示す説明図であり、図１６及び図１７は正面図、図１８は背面図である。前記同様、略円形状生地２に縫付けられた二つの略長方形状伸縮性生地５のうち、一方の略長方形状伸縮性生地５における辺ｎ２と他方の略長方形状伸縮性生地５における辺ｎ３とを結ぶ線に沿って、略円形状生地２を折り畳む。そしてさらに、二つの略長方形状伸縮性生地５が互いに重なるように略円形状生地を折り畳み、その重なり合った略長方形状伸縮性生地５の互いの辺ｎ２・ｎ３に備えられている一方あるいは両方の止め具６と止め具受け部７とを繋ぎ止めることによって、着回し自在被服１全体が一つ筒状体として形成される。その際、両方の止め具６と止め具受け部７とを繋ぎ止めた場合は図１６に、一方の止め具６と止め具受け部７とを繋ぎ止めた場合は図１７に示すような状態となる。この状態とした着回し自在被服１は、形成された筒状体に首Ｈ１を通して最初に折り畳んだ辺を肩に掛けるように位置させ、かつ、略長方形状伸縮性生地５を胸の正面に位置するように配置することによって、図１６から図１８に示すような、斬新でファッション性の高いショールを羽織ったイメージの着用状態となる。
【００３０】
尚、以上説明した着用例はあくまで例示であり、本発明にかかる着回し自在被服１によれば、着用者個々人の創作的思考により、略円形状生地２の折り畳み方や止め具６・８と止め具受け部７・９の使い方等如何によって、上記以外にも種々個性的な着用例を見出すことが可能である。
【図面の簡単な説明】
【００３１】
【図１】本発明にかかる着回し自在被服の一の実施形態を示す展開図である。
【図２】本発明にかかる着回し自在被服の他の実施形態を示す展開図である。
【図３】本発明にかかる着回し自在被服の他の実施形態を示す展開図である。
【図４】本発明にかかる着回し自在被服の第一の着用例を示す正面図である。
【図５】本発明にかかる着回し自在被服の第一の着用例を示す背面図である。
【図６】本発明にかかる着回し自在被服の第一の着用例を示す正面図である。
【図７】本発明にかかる着回し自在被服の第一の着用例を示す背面図である。
【図８】本発明にかかる着回し自在被服の第二の着用例を示す正面図である。
【図９】本発明にかかる着回し自在被服の第二の着用例を示す背面図である。
【図１０】本発明にかかる着回し自在被服の第三の着用例を示す正面図である。
【図１１】本発明にかかる着回し自在被服の第三の着用例を示す背面図である。
【図１２】本発明にかかる着回し自在被服の第四の着用例を示す正面図である。
【図１３】本発明にかかる着回し自在被服の第四の着用例を示す背面図である。
【図１４】本発明にかかる着回し自在被服の第五の着用例を示す説明図である。
【図１５】本発明にかかる着回し自在被服の第六の着用例を示す説明図である
【図１６】本発明にかかる着回し自在被服の第七の着用例を示す正面図である。
【図１７】本発明にかかる着回し自在被服の第七の着用例を示す正面図である。
【図１８】本発明にかかる着回し自在被服の第七の着用例を示す背面図である。
【符号の説明】
【００３２】
１    着回し自在被服
２    略円形状生地
２ａ  略半円形状生地
２ｂ  略半円形状生地
３    孔
４    筒状伸縮性生地
５    略長方形状伸縮性生地
６    止め具
７    止め具受け部
８    止め具
９    止め具受け部
１０    縫い目
Ｈ１  首
Ｈ２  腕先
Ｈ３  脚
ｎ１  略円形状生地への縫付け辺
ｎ２  ｎ１に略直交する一辺
ｎ３  ｎ２の対称辺
【図１】
2006214021.tif 000003
【図２】
2006214021.tif 000004
【図３】
2006214021.tif 000005
【図４】
2006214021.tif 000006
【図５】
2006214021.tif 000007
【図６】
2006214021.tif 000008
【図７】
2006214021.tif 000009
【図８】
2006214021.tif 000010
【図９】
2006214021.tif 000011
【図１０】
2006214021.tif 000012
【図１１】
2006214021.tif 000013
【図１２】
2006214021.tif 000014
【図１３】
2006214021.tif 000015
【図１４】
2006214021.tif 000016
【図１５】
2006214021.tif 000017
【図１６】
2006214021.tif 000018
【図１７】
2006214021.tif 000019
【図１８】
2006214021.tif 000020